【手続補正書】
【提出日】平成21年7月3日(2009.7.3)
【手続補正１】
【補正対象書類名】特許請求の範囲
【補正対象項目名】請求項１
【補正方法】変更
【補正の内容】
【請求項１】
利用する施設及び移動手段を選択するために用いられる端末装置と、利用可能な前記施設及び前記移動手段についての情報を前記端末装置に出力する情報提供装置と、前記端末装置と前記情報提供装置とを接続するネットワークと、を含む情報提供システムにおいて、
前記情報提供装置は、
利用するための予約が実際に可能な前記施設を示し且つ当該利用に当たって必要な費用を示す費用情報を含む施設情報を、一又は複数の前記施設分外部から取得する施設情報取得手段と、
利用するための予約が実際に可能な前記移動手段を示し且つ当該利用に当たって必要な費用を示す費用情報を含む移動手段情報を、一又は複数の前記移動手段分外部から取得する移動手段情報取得手段と、
前記取得された施設情報夫々と、前記取得された移動手段情報夫々と、を一対一に組み合わせることにより、当該組み合わせに含まれる前記施設と、当該組み合わせに含まれる前記移動手段と、当該組み合わせに含まれる前記施設及び前記移動手段を共に利用するときに必要となる費用の総額と、を示す組み合わせ情報を複数生成して記憶部に記憶させる生成記憶手段と、
利用する前記施設及び前記移動手段を含む前記組み合わせ情報を検索する際に用いられる検索条件を示す検索条件情報を前記端末装置から取得する条件情報取得手段と、
前記検索条件情報が受け付けられた場合、前記記憶部に記憶されている組み合わせ情報の中から、前記取得した検索条件情報により示される前記検索条件に合致する前記組み合わせ情報を抽出する抽出手段と、
前記抽出された組み合わせ情報を前記検索条件情報の取得元である前記端末装置に出力する出力手段と、
を備えることを特徴とする情報提供システム。
【手続補正２】
【補正対象書類名】特許請求の範囲
【補正対象項目名】請求項１１
【補正方法】変更
【補正の内容】
【請求項１１】
利用する施設及び移動手段を選択するために用いられる端末装置と、利用可能な前記施設及び前記移動手段についての情報を前記端末装置に出力する情報提供装置と、前記端末装置と前記情報提供装置とを接続するネットワークと、を含む情報提供システムにおいて実行される情報提供方法において、
利用するための予約が実際に可能な前記施設を示し且つ当該利用に当たって必要な費用を示す費用情報を含む施設情報を、一又は複数の前記施設分外部から取得する施設情報取得工程と、
利用するための予約が実際に可能な前記移動手段を示し且つ当該利用に当たって必要な費用を示す費用情報を含む移動手段情報を、一又は複数の前記移動手段分外部から取得する移動手段情報取得工程と、
前記取得された施設情報夫々と、前記取得された移動手段情報夫々と、を一対一に組み合わせることにより、当該組み合わせに含まれる前記施設と、当該組み合わせに含まれる前記移動手段と、当該組み合わせに含まれる前記施設及び前記移動手段を共に利用するときに必要となる費用の総額と、を示す組み合わせ情報を複数生成して記憶手段に一時的に記憶させる生成記憶工程と、
利用する前記施設及び前記移動手段を含む前記組み合わせ情報を検索する際に用いられる検索条件を示す検索条件情報を前記端末装置において入力する条件情報入力工程と、
前記検索条件情報が受け付けられた場合、前記記憶手段に記憶されている組み合わせ情報の中から、前記入力された検索条件情報により示される前記検索条件に合致する前記組み合わせ情報を抽出する抽出工程と、
前記抽出された組み合わせ情報を前記検索条件情報が入力された前記端末装置に出力する出力工程と、
前記情報提供装置から出力された前記組み合わせ情報の内容を前記端末装置において告知する告知工程と、
を含むことを特徴とする情報提供方法。
【手続補正３】
【補正対象書類名】明細書
【補正対象項目名】０００７
【補正方法】変更
【補正の内容】
【０００７】
上記の課題を解決するために、請求項１に記載の発明は、請求項１に記載の発明は、利用する施設及び移動手段を選択するために用いられる端末装置と、利用可能な前記施設及び前記移動手段についての情報を前記端末装置に出力する情報提供装置と、前記端末装置と前記情報提供装置とを接続するネットワークと、を含む情報提供システムにおいて、前記情報提供装置は、利用するための予約が実際に可能な前記施設を示し且つ当該利用に当たって必要な費用を示す費用情報を含む施設情報を、一又は複数の前記施設分外部から取得する通信部等の施設情報取得手段と、利用するための予約が実際に可能な前記移動手段を示し且つ当該利用に当たって必要な費用を示す費用情報を含む移動手段情報を、一又は複数の前記移動手段分外部から取得する通信部等の移動手段情報取得手段と、前記取得された施設情報夫々と、前記取得された移動手段情報夫々と、を一対一に組み合わせることにより、当該組み合わせに含まれる前記施設と、当該組み合わせに含まれる前記移動手段と、当該組み合わせに含まれる前記施設及び前記移動手段を共に利用するときに必要となる費用の総額と、を示す組み合わせ情報を複数生成して記憶部に記憶させる生成記憶手段と、利用する前記施設及び前記移動手段を含む前記組み合わせ情報を検索する際に用いられる検索条件を示す検索条件情報を前記端末装置から取得する通信部等の条件情報取得手段と、前記検索条件情報が受け付けられた場合、前記記憶部に記憶されている組み合わせ情報の中から、前記取得した検索条件情報により示される前記検索条件に合致する前記組み合わせ情報を抽出する抽出部等の抽出手段と、前記抽出された組み合わせ情報を前記検索条件情報の取得元である前記端末装置に出力する出力部等の出力手段と、を備える。
【手続補正４】
【補正対象書類名】明細書
【補正対象項目名】００３９
【補正方法】変更
【補正の内容】
【００３９】
上記の課題を解決するために、請求項１１に記載の発明は、利用する施設及び移動手段を選択するために用いられる端末装置と、利用可能な前記施設及び前記移動手段についての情報を前記端末装置に出力する情報提供装置と、前記端末装置と前記情報提供装置とを接続するネットワークと、を含む情報提供システムにおいて実行される情報提供方法において、利用するための予約が実際に可能な前記施設を示し且つ当該利用に当たって必要な費用を示す費用情報を含む施設情報を、一又は複数の前記施設分外部から取得する施設情報取得工程と、利用するための予約が実際に可能な前記移動手段を示し且つ当該利用に当たって必要な費用を示す費用情報を含む移動手段情報を、一又は複数の前記移動手段分外部から取得する移動手段情報取得工程と、前記取得された施設情報夫々と、前記取得された移動手段情報夫々と、を一対一に組み合わせることにより、当該組み合わせに含まれる前記施設と、当該組み合わせに含まれる前記移動手段と、当該組み合わせに含まれる前記施設及び前記移動手段を共に利用するときに必要となる費用の総額と、を示す組み合わせ情報を複数生成して記憶手段に一時的に記憶させる生成記憶工程と、利用する前記施設及び前記移動手段を含む前記組み合わせ情報を検索する際に用いられる検索条件を示す検索条件情報を前記端末装置において入力する条件情報入力工程と、前記検索条件情報が受け付けられた場合、前記記憶手段に記憶されている組み合わせ情報の中から、前記入力された検索条件情報により示される前記検索条件に合致する前記組み合わせ情報を抽出する抽出工程と、前記抽出された組み合わせ情報を前記検索条件情報が入力された前記端末装置に出力する出力工程と、前記情報提供装置から出力された前記組み合わせ情報の内容を前記端末装置において告知する告知工程と、を含む。